(57)【要約】 【課題】コンパクトに形成され、且つ飲料調製並びに調製飲料の携帯の多様性に対応できる携帯用飲料容器を提供する。【解決手段】手で保持して直飲可能な容量及び大きさのコップ様の金属製真空二重構造の容器本体１と、前記容器本体の上方開口部に装着され、氷止め用透孔２３を設けた底部を有する容器形状の口当て体２と、断熱部（螺合部３２及び断熱材３３）が口当て体２に侵入して螺合装着される断熱蓋体３と、除蓋状態の口当て体内に収納される大きさで、口当て体の下方に、上縁部が密着状態で吊下げ装着される漉し容器体４とを備えてなる。【選択図】図１
2014073229.tif 000002
【特許請求の範囲】
【請求項１】
手で保持して直飲可能な容量及び大きさのコップ様の金属製真空二重構造の容器本体と、前記容器本体の上方開口部に装着され、氷止め用透孔を設けた底部を有する容器形状の口当て体と、断熱部が口当て体に侵入して螺合装着される断熱蓋体と、除蓋状態の口当て体内に収納される大きさで、口当て体の下方に、上縁部が密着状態で吊下げ装着される漉し容器体とを備えてなることを特徴とする携帯用飲料容器。
【請求項２】
口当て体が、容器本体の上方開口部内側に螺合され、螺合装着時に容器本体の上端外周面と面一となり且つ前記上端縁より突出した口当て部を備えてなる請求項１記載の携帯用飲料容器。
【請求項３】
口当て体の底部中央に係止透孔を設け、前記係止透孔を貫通して係止する中央係止軸を漉し容器に設けてなる請求項２載の携帯用飲料容器。
【請求項４】
口当て体の底部の氷止め用透孔の一部を、内周面に添った弧状透孔に形成し、漉し容器の底部に、前記弧状透孔の中心側端面にクリック係止する脚部を設けてなる請求項２又は３記載の携帯用飲料容器。
【発明の詳細な説明】
【技術分野】
【０００１】
本発明は、マグボトルと称される保温性の小型の携帯用飲料容器に関するものである。
【背景技術】
【０００２】
携帯用飲料容器（マグボトル）は、真空二重構造の容器本体に断熱蓋体を装着したもので、必要に応じて中栓体を装備しており、本発明は特に飲料調製部（茶こし機能）を備えた器具に係るものである。
【０００３】
例えば特許文献１（特開平１１−２５３３１２号公報）には、容器本体の開口部に装着した筒状の口部材の底方に、茶こし網を係合自在に装着し、口部材の上方開口部分に断熱蓋体を装着している飲料容器が開示されている。
【０００４】
また特許文献２（特開２００３−１３５２７６号公報）には、容器本体の開口部に装着した栓部材と、栓部材の下方に装着したこし具と、栓蓋（蓋体）で構成した飲料容器が開示され、更に同文献の別例として、栓部材を備えずこし具と蓋体で構成した飲料容器が開示されている。
【先行技術文献】
【特許文献】
【０００５】
【特許文献１】特開平１１−２５３３１２号公報。
【特許文献２】特開２００３−１３５２７６号公報。
【発明の概要】
【発明が解決しようとする課題】
【０００６】
特許文献１記載の飲料容器においては、茶こし網に茶葉を入れ、熱湯を注ぎ入れて携帯し、蓋体と口部材を容器本体から取り外して喫飲するものである。即ち喫飲時には蓋体以外にも必ず口部材も外さなければならなく、且つその二部材を汚さないように他所に置く必要があり、屋外での使用を前提とする携帯用飲料容器としては使い勝手が良くない。
【０００７】
また特許文献２で開示されているこし具、栓部材、蓋体の三部材で構成されている携帯用飲料容器も、喫飲時にこし具、栓部材、蓋体の三部材を取り外す構成であり、こし具を取り外して裏返した蓋体に載置できるが、やはり一旦は三部材を外す必要がある。また栓部材を採用していない蓋体とこし具の組み合わせに際しても、こし具を飲料調製のみに使用し、携帯時は外しておくこともできるが、じっくりと抽出が必要な飲料には不適当である。
【０００８】
そこで本発明は、飲料調製と携帯時における使用状態の多様性に対応できる新規な携帯用飲料容器を提案したものである。
【課題を解決するための手段】
【０００９】
本発明（請求項１）に係る携帯用飲料容器は、手で保持して直飲可能な容量及び大きさのコップ様の金属製真空二重構造の容器本体と、前記容器本体の上方開口部に装着され、氷止め用透孔を設けた底部を有する容器形状の口当て体と、断熱部が口当て体に侵入して螺合装着される断熱蓋体と、除蓋状態の口当て体内に収納される大きさで、口当て体の下方に、上縁部が密着状態で吊下げ装着される漉し容器体とを備えてなることを特徴とするものである。
【００１０】
而して前記の飲料容器を保管している状態は、漉し容器体を口当て体に吊下げ装着した状態で、口当て体を容器本体内に差し入れて装着し、更に断熱蓋体を口当て体に螺合装着すると、全ての部材がコンパクトに納まるものである。そして使用に際しては、漉し容器体を適宜な個所に配置し、携帯・非携帯とするもので、その使用形態は、漉し容器体を口当て体の上から差し入れて茶葉などお湯だし（ドリップ方式）を行い、漉し容器体を除外して携帯する。また茶葉を容器本体内に入れ、漉し容器体を吊下げ装着した状態で入れ、熱湯又は水を注ぎ入れて茶葉から抽出を行い（ストレーナー方式）、その状態で携帯する。更に、容器本体内に氷塊を入れ、口当て部材を装着して携帯する（氷止め使用）ものである。
【００１１】
また本発明（請求項２）に係る携帯用飲料容器は、口当て体が、容器本体の上方開口部内側に螺合され、螺合装着時に容器本体の上端外周面と面一となり且つ前記上端縁より突出した口当て部を備えてなるもので、口当て体の上方部分が容器本体の上端縁を跨らずに装着され、それに伴って容器全体に突出部分を無くすために容器本体の上端外周を内側に凹ます必要が無く、口当て体の内側空間を限界まで大きくすることができ、これによって当該空間に収納して使用される漉し容器の容積を大きくでき、効率的な茶葉からの成分抽出を行うことができる。
【００１２】
また本発明（請求項３）に係る携帯用飲料容器は、口当て体の底部中央に係止透孔を設け、前記係止透孔を貫通して係止する中央係止軸を漉し容器に設けてなるもので、口当て体への装着が漉し容器体の上下操作で簡単に行うことができ、また前記ドリップ方式で使用する際には中央係止軸が摘まみとして機能するもので、その操作性が良好である。
【００１３】
また本発明（請求項４）に係る携帯用飲料容器は、口当て体の底部の氷止め用透孔の一部を、内周面に添った弧状透孔に形成し、漉し容器の底部に、前記弧状透孔の中心側端面にクリック係止する脚部を設けてなるもので、ドリップ方式で使用する際には、脚部が弧状透孔に差し入れられ、しっかりと口当て体に係止されるので、熱湯を注ぎ入れる茶葉からの抽出作業が安全に行うことができる。
【発明の効果】
【００１４】
本発明の構成は上記のとおりで、全体をコンパクトにした小型の携帯用飲料容器において、漉し容器体を付属させて飲料調製機能を備えさせると共に、飲料の調整手段の多様性を実現すると共に、当該調製飲料の携帯に適する容器構成を選択できるようにしたものである。
【図面の簡単な説明】
【００１５】
【図１】本発明の実施形態の全体の断面図。
【図２】同漉し容器体の使用時の組み込み状態の説明図。
【図３】同飲料調製時の説明図。
【発明を実施するための形態】
【００１６】
次に本発明の実施形態について説明する。実施形態に示した携帯用飲料容器は、容器本体１、口当て体２、断熱蓋体３、漉し容器体４で構成される。
【００１７】
容器本体１は、手で保持して直飲可能な容量及び大きさのコップ様のもので、薄金属板（一般的にはステンレス薄板）で形成した内外容器１１，１２で構成され、内外容器１１,１２の上縁部を溶着すると共に、両容器間の空間を真空状態（減圧状態）として断熱機能を付与したものである。また上方開口部内周面に、螺合用の螺条１４を周設しているものである。
【００１８】
口当て体２は、外周面と面一となり且つ上端縁より突出した口当て部２１を形成し、底面には、中央の係止透孔２２と適宜大きさの氷止め用透孔２３を設けてなる。特に氷止め用透孔２３の一部を、内周面に添った弧状透孔２４に形成し、上方内周面には断熱蓋体３を装着する螺合部２５を設けたものである。
【００１９】
断熱蓋体３は、蓋部３１と断熱部（螺合部３２と断熱材３３）で形成され、蓋部３１は口当て体２の上縁に連続する低い周面を持ち、中央に螺合部３２を垂設しているものである。螺合部３２は断熱材３３を内装し、口当て体２の上方開口部分に挿入される形状で、周面に螺合部２５に螺合する螺条３４を周設したものである。更に螺合部３２の底面は窪み部３５として、仮置きした時、脚部４４が窪み部３５縁リブで位置決めされ、漉し容器からたれ落ちる汁を受けるのを兼ね、後述する漉し容器体４の中央係止軸部４２の収納箇所としたものである。
【００２０】
漉し容器体４は、容器形状の口当て体２の内方に収納される大きさで、底面に多数の小孔４１を設け、中心に中央係止軸４２を立設したものである。この中央係止軸４２は、漉し容器体４の周壁より上方に突出し、係止透孔２２と対応する位置に、弾性樹脂で形成したクリップ部４３を設けたものである。
【００２１】
また漉し容器体４の底面には、弧状透孔２４に対応する位置に脚部４４を設けると共に、脚部４４の下端内方に爪部４５を突設し、漉し容器体４を口当て体５の内方に収めた際に、前記弧状透孔２４の中心側端面にクリック係止されるようにしたものである。
【００２２】
而して前記の飲料容器は、保管時、飲料調製時、飲料携帯時で各部材の使用形態が異なるもので以下に説明する。
【００２３】
保管時は図１に示した通りで、漉し容器体４の中央係止軸４２を係止透孔２２に差し入れ、クリップ部４３を係止透孔２２に圧入して漉し容器体４を吊下げ装着する。尚前記の吊下げ装着時に漉し容器体４の上端縁が、口当て体２の外周下端に嵌合するように、両者を適宜な凹凸形状に形成して、吊下げ装着時に漉し容器体４の上縁が口当て体２の底面に密着し、ガタツクことが無いようにしている。
【００２４】
また、漉し容器体４を吊下げ装着した状態で、口当て体２を容器本体１に差し入れて螺合装着し、更に断熱蓋体３の螺合部３２を口当て体２の内方に差し入れて螺合装着するものであるため、前記の保管状態では、全ての部材がコンパクトに納まるものである。
【００２５】
次に飲料調製並びに飲料の携帯時の状態について説明する。第一にドリップ方式で飲料を調製する場合は、口当て体２、断熱蓋体３及び漉し容器体４を容器本体１から外し、口当て体２を容器本体１の上方開口部分に螺合装着し、前記口当て体２の内方に漉し容器体４を収め、弧状透孔２４の中心側端面に爪部４５をクリック係止する（図２イ）。
【００２６】
次に漉し容器体４に茶葉等Ａを投入し、熱湯Ｂを注ぎ入れて茶成分の抽出をして所定の飲料Ｃを調製する（図３イ）。そして飲料Ｃの調製後は漉し容器体４を外し、断熱蓋体３を装着して携帯し、適時喫飲に供するものである。
【００２７】
またストレーナー方式（茶成分の滲出方式）で飲料を調製する場合には、容器本体１内に茶葉等Ａを投入し、水又は熱湯を容器本体１に注ぎ入れ、漉し容器体４を口当て体２の下方に縁部を密着状態として吊下げ装着して（前記保管状態と同様）、容器本体１の上方開口部に装着する（図２ロ）。
【００２８】
前記状態で放置しておくと自然に茶葉Ａから茶葉成分が滲み出し、所定の飲料Ｄが調製される。そこで断熱蓋体３を装着して携帯し、適時喫飲に供するものである。喫飲時には、茶葉等Ａは、漉し容器体４によって流出が阻止され、何ら支障なく喫飲できるものである。
【００２９】
次に茶葉等Ａを使用しない場合においては、漉し容器体４は外しておき、容器本体１内に飲料Ｅと氷Ｆを入れ、口当て体２と断熱蓋体１を装着して携帯すると、冷却された飲料Ｅを喫飲することができ、而も口当て体２の氷止め透孔２３によって氷Ｆの流出が阻止され、何ら支障なく喫飲できるものである。
【００３０】
このように前記の携帯用飲料容器は、外形を凹凸の無いコンパクト形状とし、且つ漉し容器体４の容積を最大限大きくしたもので、多様な使用方法に対応できると共に、効率的に茶葉からの成分抽出ができたものである。
【符号の説明】
【００３１】
１      容器本体
１１    内容器
１２    外容器
１３    アルミ箔
１４    螺条
２      口当て体
２１    口当て部
２２    係止透孔
２３    氷止め用透孔
２４    弧状透孔
２５    螺合部
３      断熱蓋体
３１    蓋部
３２    螺合部
３３    断熱材
３４    螺条
３５    窪み部
４      漉し容器体
４１    小孔
４２    中央係止軸
４３    クリップ部
４４    脚部
４５    爪部
【図１】
2014073229.tif 000003
【図２】
2014073229.tif 000004
【図３】
2014073229.tif 000005